(57)【要約】【課題】前後の判断を行うことなく、どちらの向きであっても快適な装着感を得ることができる吸収性物品を提供する。【解決手段】人体に接する面に配置された内面シート２と、内面シート２よりも外側に配置された外面シート３と、内面シート２と外面シート３との間に配置された吸収体４と、を備える本体部５を備える吸収性物品において、装着時に装着者の脚周りを保持してなる脚周り部８０は、本体部５の脚周り開口端部８ａから脚周り開口部８側に延出するように本体部５に貼り付けられた伸縮性の脚周りシート６を備え、本体部５の脚周り開口端部８ａの形状は、装着時における装着者の腹側の脚周りに適合する形状であり、当該紙おむつ１を前向き或いは後向きの何れに装着しても、本体部５と脚周りシート６とで装着者の臀部が覆われる構成とする。【選択図】図２
2005287699.tif 000002
【特許請求の範囲】
【請求項１】
人体に接する面に配置された内面シートと、前記内面シートよりも外側に配置された外面シートと、前記内面シートと前記外面シートとの間に配置された吸収体と、を備える本体部を備える吸収性物品において、
装着時に装着者の脚周りを保持してなる脚周り部は、前記本体部の脚周り開口端部から脚周り開口部側に延出するように前記本体部に貼り付けられた伸縮性の脚周りシートを備え、
前記本体部の前記脚周り開口端部の形状は、装着時における装着者の腹側の脚周りに適合する形状であり、
当該吸収性物品を前向き或いは後向きの何れに装着しても、前記本体部と前記脚周りシートとで装着者の臀部が覆われるようになっていることを特徴とする吸収性物品。
【請求項２】
前記脚周りシートが、前記本体部の脚周り全体を覆うように貼り付けられていることを特徴とする請求項１に記載の吸収性物品。
【請求項３】
前記脚周りシートが、前記本体部の前記脚周り開口端部近傍のみに重ねられて貼り付けられていることを特徴とする請求項１に記載の吸収性物品。
【発明の詳細な説明】
【技術分野】
【０００１】
本発明は、吸収性物品に関する。
【背景技術】
【０００２】
従来、吸収性物品であるパンツタイプのおむつやおむつカバーにおいては、その機能を確実に発揮し、装着者が快適な装着感を得るために、通常のパンツと同様におむつの前後の向きを適切にして装着する必要がある。そこで、従来は、おむつに前後の判断を助ける表示を付す等の工夫がなされてきた。
具体的には、例えば、装着時に腹側部又は背側部にあたる部分にフロントマーク又はバックマークを付したり（例えば、特許文献１）、おむつの胴周り開口部に配される弾性部材の色を腹側と背側で変えたり（例えば、特許文献２）すること等によって、装着者の前後判断を助ける工夫がなされてきた。
【特許文献１】特開平８−１１７２７８号公報
【特許文献２】特開平９−８４８２４号公報
【発明の開示】
【発明が解決しようとする課題】
【０００３】
しかし、装着者が、例えば、準盲者や全盲者、高齢による弱視者等である場合、特許文献１や特許文献２に挙げられるおむつやおむつカバーでは、フロントマークやバックマークの識別や色の識別がつきにくい場合があり、非常に不便であった。
そこで、本発明の課題は、前後の判断を行うことなく、どちらの向きであっても快適な装着感を得ることができる吸収性物品を提供することである。
【課題を解決するための手段】
【０００４】
前述した課題を解決するために、請求項１に記載の発明は、人体に接する面に配置された内面シートと、前記内面シートよりも外側に配置された外面シートと、前記内面シートと前記外面シートとの間に配置された吸収体と、を備える本体部を備える吸収性物品において、装着時に装着者の脚周りを保持してなる脚周り部は、前記本体部の脚周り開口端部から脚周り開口部側に延出するように前記本体部に貼り付けられた伸縮性の脚周りシートを備え、前記本体部の前記脚周り開口端部の形状は、装着時における装着者の腹側の脚周りに適合する形状であり、当該吸収性物品を前向き或いは後向きの何れに装着しても、前記本体部と前記脚周りシートとで装着者の臀部が覆われるようになっていることを特徴とする。
【０００５】
ここで、「前向き或いは後向きの何れに装着しても」とは、吸収性物品のどちらか一方の面が、装着者の前側に位置するとき（前向き）、他の一面は後側に位置し（後向き）、逆に、一方の面が装着者の後側に位置するとき（後向き）には、他方の面は前側に位置する（前向き）ことを意味する。つまり、どちらか一方の面が前向きであるときには他方の面は後向きであって、何れの面も、前向き、後向きであることを限定されないことを意味する。
【０００６】
請求項２に記載の発明は、請求項１に記載の吸収性物品において、前記脚周りシートが、前記本体部の脚周り全体を覆うように貼り付けられていることを特徴とする
【０００７】
請求項３に記載の発明は、請求項１に記載の吸収性物品において、前記脚周りシートが、前記本体部の前記脚周り開口端部近傍のみに重ねられて貼り付けられていることを特徴とする。
【発明の効果】
【０００８】
請求項１に記載の発明によれば、本体部の脚周り開口端部の形状は腹側の脚周りに適合する形状であって、一方、本体部５の脚周り開口端部から、脚周り開口部方向に延出してなる、伸縮性を有する脚周りシートが形成する脚周り開口端部は、装着者の臀部を覆う形状である。
【０００９】
これにより、装着時に装着者の腹側の脚周りを保持する脚周り開口部においては、伸縮性を有する脚周りシートが腹側の脚周りの形状に略沿って縮み込むことによりフィットし、装着者の背側の脚周りを保持する脚周り開口部においては、伸縮性を有する脚周りシートが伸び広がることによって装着者の臀部を包み込むこととなる。従って、腹側の脚周り、背側の脚周りのどちらに対してもフィットすることとなるため、吸収性物品を、前向き或いは後向きのどちらの向きでも装着することが可能となって、快適な装着感が得られることとなる。
従って、装着時に吸収性物品の前後の判断を行う必要がなくなり、装着者や介護者の手間を軽減することができる。
【００１０】
また、脚周りシートが伸縮性を有することによって、装着者の腹側の脚周りには脚周りシートが縮み込んで適切にフィットし、装着者の背側の脚周りには伸び広がって適切に臀部を包み込んでフィットすることとなり、脚周り部に弾性部材を備える必要がなくなり、脚周りシートを貼り付ける構造とすることによりかかるコストを抑えることができる。
【００１１】
請求項２に記載の発明によれば、脚周りシートを本体部の脚周り全体を覆うように貼り付けることで、脚周りシートを備えた吸収性物品を製造することができる。
これにより、請求項１に記載の発明の効果が得られるのは無論のこと、特に、脚周り部が伸縮性を備えることなり、装着者によりフィットすることとなる。
【００１２】
請求項３に記載の発明によれば、脚周りシートを本体部の脚周り開口端部近傍にのみ重ねて貼り付けることによって、吸収性物品を製造することができる。
これにより、請求項１に記載の発明の効果が得られるのは無論のこと、特に、脚周りシートを脚周り開口端部近傍に限定して貼り付けることによって所望の吸収性物品を実現することが可能となるため、脚周りシートに供する部材を小さくすることができ、コストを抑えることができる。
【発明を実施するための最良の形態】
【００１３】
（実施形態１）
以下、本発明の実施形態１を、図面を参照しながら詳細に説明する。
本実施形態においては、吸収性物品としての使い捨てパンツタイプ紙おむつを一例として説明する。
図１は本願発明の使い捨てパンツタイプ紙おむつを適用した実施形態１の使い捨てパンツタイプ紙おむつの斜視図である。図２は図1の展開図であって、図３は図1の構成を説明するための説明図である。
【００１４】
図１〜３に示すように、紙おむつ１は、人体に接する面に配置された透液性の内面シート２と、内面シート２の反対側に配置された外面シート３と、内面シート２と外面シート３との間に介装された吸収体４と、漏れ防止シート１０と、複数の弾性部材９１、９２等を備える本体部５と、本体部５に貼り付けられてなる脚周りシート６、等を備える。
【００１５】
また、紙おむつ１は、装着時に装着者の腰周りを保持してなる腰周り部７０を形成する一箇所の腰周り開口部７と、脚周りを保持してなる脚周り部８０を形成する二箇所の脚周り開口部８を有し、装着時に装着者の腹側に位置する腹側部１Ａと、背側に位置する背側部１Ｂと、前記腹側部と前記背側部の間であって、股下に位置する股下部１Ｃとに区分される。
なお、図１及び２に示した腹側部１Ａと背側部１Ｂを逆にしても構わない。即ち、上記に説明した腹側部１Ａを、装着時に装着者の背側に位置する背側部１Ｂとして、上記に説明した背側部１Ｂを装着時に装着者の腹側に位置する腹側部１Ａとしても構わない。
但し、以後の説明においては、説明の便宜上、腹側部１Ａ及び背側部１Ｂを図１の通りに特定して説明を行う。
【００１６】
内面シート２は、紙おむつ１を装着した際に人体に接する面に設けられ、体液を受けて、吸収体４まで輸送する役割を果たすシートである。
透液性シートとしては、例えば、有孔または無孔の不織布や、多孔性プラスチックシートなどにより形成されるものが挙げられる。不織布を構成する素材繊維としては、天然繊維、化学繊維のいずれを用いてもよい。
天然繊維の例としては、綿、セルロース（木材パルプ）、羊毛、絹、麻等が挙げられる。
また、化学繊維の例としては、ポリエチレン（ＰＥ）やポリプロピレン（ＰＰ）等のオレフィン系、ポリエステル（ＰＥＴ）を含むポリエステル系、ナイロンやアラミド等のポリアミド系、ポリアクリロニトリル（ＰＡＮ）等のアクリル系といった合成繊維の他、レーヨンやキュプラ等の再生繊維、酢酸セルロースやプロミックス等の半合成繊維等を挙げることができる。また、ＰＥ／ＰＰ混合不織布、ＰＥ／ＰＥＴ混合不織布の他、上記素材を適宜組み合わせたバイコンポーネント繊維（混合繊維）等も用いることができる。
【００１７】
これらの繊維素材から不織布を製造する方法としては、公知の方法を適宜用いることができ、例えば、高圧水流で繊維同士を絡ませて接合させるウォーターパンチ法や、繊維を製紙と同様の方法で製造する抄紙法等の湿式法、接着剤で接合させるケミカルボンド法や、低融点ポリマー及び自己溶融繊維で接合させるサーマルボンド法等の乾式法、特殊針でニードリングして接合させるニードルパンチ法、ポリマー溶液を口金より噴出させ、網状フィブリルを形成させるフラッシュ紡糸法などの直接式法等の方法が挙げられる。また、これらの方法を組み合わせた方法等によっても不織布を製造することができる。
【００１８】
外面シート３は、おむつ１を装着した際に人体に接する面と反対側の面に設けられ、体液などのおむつ１外部への染み出し、漏れ出しを防ぐ役割を果たすシートである。
外面シート３としては、例えば、ポリエチレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
またその他にも、不透液性を有するフィルム層と、通気性を有する不織布層からなるラミ不織布を用いても良い。ラミ不織布とは、例えばポリエチレンシート等に不織布を積層した、ラミネート不織布と呼ばれる不織布のことであり、不透液性と通気性を併せ持つ
不織布である。
尚、上記に挙げたシート以外にも、外面シート３として好適なシートを、適宜用いることができる。
【００１９】
吸収体４は、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）等により覆われて構成されている。吸収体４は、単層構造であっても良いし、複数層に分かれた構造でも構わない。吸収体４は、人体の腹側部１Ａから両脚の間の股下部１Ｃを通り背側部１Ｂに亘る位置に装着されている。
【００２０】
漏れ防止シート１０は、紙おむつ１装着時に装着者の腰周りに配される不透液性のシートであって、吸収体４が吸収しきれなかった体液、若しくは一旦吸収体が吸収した後、体圧などにより染み出した体液の、紙おむつ１外部への漏れ出しを防止するのみならず、腰周りギャザーとしての弾性部材９１を上面から押さえ込んで、紙おむつ１の未使用時及び使用時の、弾性部材９１のずれやよれを防ぐ。
より具体的には、漏れ防止シート１０は、外面シート３と、腰周り開口部７において内面シート２側に折り返された外面シート３との間に一方の端部を挟み込み、他方の端部で吸収体４上面の一部を被ってなる。
不透液性シートには、例えば、外面シート３で挙げたシート等を用いることができる。
【００２１】
腰周りギャザーとしての弾性部材９１は、腰周り開口部７の近傍の腰周り部７０に設けられ、腹周りギャザーとしての弾性部材９２は、弾性部材９１の下方の腰周り部７０に設けられている。
これらの弾性部材９１及び９２が施されていることにより、装着者の腰周りで紙おむつ１が好適に密着することとなり、フィット感を上げることが実現するのみならず、腰周り開口部７からのモレを防ぎ、使用感を向上させることができる。
腰周りギャザーとしての弾性部材９１、腹周りギャザーとしての弾性部材９２としては、例えば糸ゴムを利用することができる。
【００２２】
本体部５は、上記に説明した内面シート２、外面シート３、吸収体４、漏れ防止シート１０、複数の弾性部材９１、９２、９３等を備えてなる。
図２に示すように、本体部５においては、腰周り部７０を形成する腰周り開口部７の端部である腰周り開口端部は、腹側部１Ａ、背側部１Ｂに各々一箇所ずつ設けられる。
また、脚周り部８０を形成する脚周り開口部８の端部である脚周り開口端部８ａは、股下部１Ｃにおいて、吸収体４を挟み両側に一箇所ずつ設けられる。
さらに、脚周り開口端部８ａには、脚周りシート６が貼り付けられてなる。
【００２３】
脚周りシート６は、図３に示す様に、本体部５の外面シート３側に貼り付けられてなる。
より詳細には、脚周りシート６の長手方向の長さは、本体部５の長さ（即ち、腹側部１Ａの腰周り開口端部から、背側１Ｂの腰周り開口端部に亘る長さ）と略同一であって、脚周りシート６の、本体部５の腹側部１Ａに貼り付けられる面に相当する部分の短手方向の長さ（即ち、幅）は、本体部５の腹側部１Ａの幅に等しく、背側部１Ｂに貼り付けられる面に相当する部分の幅は、本体部５の背側部１Ｂの幅に等しい。
そして、脚周りシート６の、本体部５の股下部１Ｃに貼り付けられる面に相当する部分の形状は、本体部５よりも広く、側方に延出してなる形状である。
従って、本体部５に脚周りシート６を貼り付けると、本体部５の内面シート２側からは、内面シート２等と共に、側方に延出した脚周りシート６が視認されるが、反対側の面である脚周りシート６側から視認すると、脚周りシート６のみが確認されることとなる。
ここで、例えば、脚周りシート６を、本体部５の脚周り全体に設けると、
【００２４】
脚周りシート６は、伸縮性を備えることを特徴とする。伸縮性を備えるシートとしては、例えば、ポリオレフィン系、ポリウレタン系、ポリエステル系またはポリスチレン系等の熱可塑性エラストマーが挙げられ、これらによって形成された、フィルム状、ネット状、編物状または不織布状の伸縮性シートを、脚周りシート６として、好適に用いることができる。
【００２５】
脚周りシート６の本体部５への貼り付けは、ヒートシールやエンボッシングなどによる貼り付け方法が挙げられ、強度を得るにはホットメルト接着剤を用いるのが望ましい。ホットメルト粘着剤としては、例えばスチレン−エチレン−ブチレン−スチレンブロック共重合体、スチレン−ブチレン−スチレンブロック共重合体、スチレン−イソブチレン−スチレン共重合体、脂肪族芳香族共重合体等を挙げることができる。
【００２６】
脚周りシート６を本体部５へ貼り付けるための接着剤の塗布パターンとしては、本体部５若しくは脚周りシート６の貼り付け面全面に接着剤を塗布することとしても良いが、間欠的、断続的な塗布パターンであっても構わない。例えば、ビート塗布法、スロット塗布法、スパイラル塗布法、カーテンスプレー塗布法、Ｖスロット塗布法等を挙げることができる。
【００２７】
次いで、本発明の特徴である脚周り部８０の構成について説明する。
図２に示すように、脚周り部８０は、本体部５の脚周り開口端部８ａから脚周り開口部８側に延出するように、本体部５に貼り付けられた伸縮性の脚周りシート６を備える。
そして、本体部５の脚周り開口端部８ａの形状は、本体部５の長さ方向（即ち、腹側部から股下部を亘って背側部に至る方向）の略中心を通って長さ方向に直行する線（以下、「中心線」という。）Ｍを挟んで腹側部１Ａと背側部１Ｂとで略対称であると共に、腹側の脚周りに適合する形状を有する。
【００２８】
一方、脚周りシート６の、脚周り開口部８において自由端を形成する端部（以下、「脚周り開口端部」という。）８ｂは、背側の脚周りに適合する形状、即ち装着者の臀部を覆う形状を有する。
ここで、脚周り開口端部８ｂは、本体部５の長さ方向の中心線Ｍを挟んで、腹側部１Ａと背側部１Ｂとでそれぞれ装着者の臀部を覆うに充分な形状であれば良く、より好ましくは、中心線Ｍを中心として、腹側部１Ａと背側部１Ｂとで略対称の形状である。
【００２９】
つまり、脚周り開口部８は、腹側の脚周りに適合する形状である脚周り開口端部８ａと、背側の脚周りに適合し、臀部を覆う形状である脚周り開口端部８ｂの、異なる二つの形状を同時に備えてなる。
【００３０】
以上に説明した実施形態１に係る紙おむつ１によると、本体部の脚周り開口端部８ａの形状は腹側の脚周りに適合する形状であって、一方、本体部５の脚周り開口端部８ａから、脚周り開口部８方向に延出してなる、伸縮性を有する脚周りシート６が形成する脚周り開口端部８ｂは、装着者の臀部を覆う形状である。これにより、装着時に装着者の腹側の脚周りを保持する脚周り開口部においては、伸縮性を有する脚周りシート６が腹側の脚周りの形状に略沿って縮み込むことによりフィットし、装着者の背側の脚周りを保持する脚周り開口部においては、伸縮性を有する脚周りシート６が伸び広がることによって装着者の臀部を包み込みフィットすることとなるため、紙おむつ１を、前向き或いは後向きのどちらの向きであっても装着することが可能となり、快適な装着感が得られることとなる。
従って、装着時に吸収性物品の前後の判断を行う必要がなくなり、装着者や介護者の手間を軽減することができる。
【００３１】
また、脚周りシート６が伸縮性を有することによって、装着者の腹側の脚周りには脚周りシート６が縮み込んで適切にフィットし、装着者の背側の脚周りには伸び広がって適切に臀部を包み込んでフィットすることとなるため、脚周り部８０に別体の弾性部材を備える必要がなくなり、脚周りシート６を貼り付ける構造とすることによりかかるコストを抑えることができる。
【００３２】
さらに、脚周りシート６を本体部５の全面を覆うように貼り付けることで、脚周りシート６を備えた紙おむつ１を製造することができる。
これにより、紙おむつ１全体が伸縮性を有することとなって、装着者によりフィットするともに、腹周り、腰周りの弾性部材を別個に設ける必要がなくなり、脚周りシート６を貼り付ける構造とすることによりかかるコストをさらに抑えることができる。
【００３３】
尚、本実施の形態においては、脚周りシート６を、本体部５の全面を覆うように貼り付けることとしたが、本体部５の脚周り全体を覆うように貼り付けることとしても構わない。
【００３４】
（実施形態２）
次いで、実施形態２に係る使い捨てパンツタイプ紙おむつ１００について、図面を用いて説明する。
図４は本実施形態２の使い捨てパンツタイプ紙おむつ（以下「紙おむつ」という。）１００の構成を説明するための説明図である。
図４に示す紙おむつ１００は、脚周りシート１０６が実施形態１の紙おむつ１と異なる。従って、実施形態２を説明するにあたり、上記実施形態１と同様の構成については同一の符号を付し、説明は省略する。
【００３５】
図４に示すように、紙おむつ１００を構成する脚周りシート１０６は、本体部５の脚周り部開口端部８ａ近傍にのみ重ねられて貼り付けられている。
即ち、脚周りシート１０６の形状が、本体部５に脚周りシート１０６を貼り付けた際に、股下部１Ｃにおいて側方に延出する部分の面積に、貼り付けのための面積を加えた形状、つまり、脚周りシートとして必要な、最小の面積を有することとなっている。
【００３６】
以上に説明した実施形態２の紙おむつ１００によると、脚周りシート１０６を本体部５の脚周り開口端部８ａ近傍に貼り付けることによって、紙おむつ１００を製造することができる。これにより、脚周りシート１０６を脚周り開口端部８ａ近傍に限定して貼り付けることによって所望の紙おむつを実現することが可能となり、脚周りシート１０６に供する部材を小さくすることができ、材料費を抑えることができる。
【図面の簡単な説明】
【００３７】
【図１】本願発明の使い捨てパンツタイプ紙おむつを適用した実施形態１の使い捨てパンツタイプ紙おむつの斜視図である。
【図２】図1の使い捨てパンツタイプ紙おむつの展開図である。
【図３】図1の使い捨てパンツタイプ紙おむつを説明するための分解斜視図である。
【図４】本願発明の使い捨てパンツタイプ紙おむつを適用した実施形態２の使い捨てパンツタイプ紙おむつの分解斜視図である。
【符号の説明】
【００３８】
１、１００  使い捨てパンツタイプ紙おむつ
１Ａ  腹側部
１Ｂ  背側部
１Ｃ  股下部
２  内面シート
３  外面シート
４  吸収体
５  本体部
６、１０６  脚周りシート
７  腰周り開口部
７０  腰周り部
８  脚周り開口部
８ａ、８ｂ  脚周り開口端部
８０  脚周り部
９１、９２  弾性部材
１０  漏れ防止シート
Ｍ  中心線
【図１】
2005287699.tif 000003
【図２】
2005287699.tif 000004
【図３】
2005287699.tif 000005
【図４】
2005287699.tif 000006